(57)【要約】断熱部が配設された筺体（２）と、画像表示器としてのプロジェクター（３）、プロジェクターから出力された画像を表示するスクリーン（６）と、筺体の内部の冷却を行う冷却部（熱交換器（２２）、圧縮器８２３））とを備え、断熱部は、プロジェクターの周辺部に配設して断熱を行う第１の断熱部（１１ａ）と、スクリーンの周辺部に配設して断熱を行う第２の断熱部（１２ａ）とを備える。
2009150850.tif 000002
【特許請求の範囲】
【請求項１】
所定の投射距離において所定の寸法および所定の輝度で画像を前面投射可能な画像表示器と、前記画像表示器が投射した画像を表示する透過型のスクリーンとを筺体に収納し、前記画像表示器の投射経路上に配設された前記スクリーンに画像を背面投射する画像表示装置であって、前記筺体は、断熱部と、前記筺体の内部の冷却を行う冷却部とを備え、前記断熱部は、前記画像表示器の周辺部に配設して断熱を行う第１の断熱部と、前記スクリーンの周辺部に配設して断熱を行う第２の断熱部とを備えることを特徴とする画像表示装置。
【請求項２】
前記第１の断熱部および前記第２の断熱部の配設場所を、壁面状部材により区画することを特徴とする請求項１に記載の画像表示装置。
【請求項３】
前記筺体は吸気口と排気口とを備え、前記吸気口は防塵フィルタを備えることを特徴とする請求項１に記載の画像表示装置。
【請求項４】
前記筺体は吸気口と排気口とを備え、前記画像表示装置の電源の切断と連動して前記吸気口と排気口とを閉じることを特徴とする請求項１に記載の画像表示装置。
【請求項５】
前記筺体の内部に温度センサーを備え、前記温度センサーが検出した温度が所定の温度以上の場合、前記冷却部が作動し、所定の温度以下になったとき、前記画像表示器の電源が入ることを特徴とする請求項１に記載の画像表示装置。
【請求項６】
前記筺体の内部に温度センサーおよび加熱部を備え、前記温度センサーが検出した温度が所定の温度以下の場合、前記加熱部が作動し、所定の温度以上になったとき、前記画像表示器の電源が入ることを特徴とする請求項１に記載の画像表示装置。
【請求項７】
前記画像表示器はさらにカバーを備え、前記カバーの内部に第２の温度センサーを配設し、前記第２の温度センサーが検出した温度が所定の温度以上の場合、前記画像表示器の光源のパワーを制御することを特徴とする請求項１に記載の画像表示装置。
【請求項８】
前記画像表示器はさらにカバーを備え、前記カバーの内部に第２の温度センサーを配設し、前記第２の温度センサーが検出した温度が所定の温度以上の場合、前記画像表示器の点灯光源数を制御することを特徴とする請求項１に記載の画像表示装置。
【請求項９】
前記冷却部は、圧縮器と凝縮器および蒸発器とを備えた第１の冷却部と、熱伝導による熱交換器を備えた第２の冷却部とを備えることを特徴とする請求項１に記載の画像表示装置。
【請求項１０】
前記第２の冷却部はヒートシンク、ヒートパイプ、空気式熱交換器のいずれかを備えることを特徴とする請求項９に記載の画像表示装置。
【請求項１１】
前記圧縮器の稼働率を検出する手段を備え、前記圧縮器の稼働率に応じて前記画像表示装置の駆動制御を行うことを特徴とする請求項９に記載の画像表示装置。
【請求項１２】
前記筺体の内部に結露センサーを備え、前記結露センサーが結露を検出したとき、前記画像表示器の電源を切断することを特徴とする請求項１に記載の画像表示装置。
【請求項１３】
前記筺体の内部に結露センサーおよび加熱部を備え、前記結露センサーが結露を検出している間は、前記加熱部が作動し、非結露となったとき前記画像表示器の電源を入れることを特徴とする請求項１に記載の画像表示装置。
【請求項１４】
さらに自己発電部を備えることを特徴とする請求項１に記載の画像表示装置。
【請求項１５】
前記自己発電部は太陽光により発電を行うことを特徴とする請求項１４に記載の画像表示装置。
【請求項１６】
さらに第２の断熱部内に第３の冷却部を備え、前記自己発電部で発電される電力により前記第３の冷却部を駆動することを特徴とする請求項１５に記載の画像表示装置。
【請求項１７】
前記第３の冷却部は前記透過型のスクリーンを冷却することを特徴とする請求項１６に記載の画像表示装置。
【請求項１８】
前記筺体は、前記画像表示器を配設した第１の収納部と、前記スクリーンを配設した第２の収納部と、前記筺体の内部の冷却を行う冷却部を配設した第３の収納部とを備え、前記第１の収納部、第２の収納部および第３の収納部を壁面状部材により区画することを特徴とする請求項１に記載の画像表示装置。
【請求項１９】
前記第３の収納部をさらに第４の収納部および第５の収納部に区画し、前記冷却部に係わる吸熱部を前記第４の収納部に配設し、前記冷却部に係わる放熱部を前記第５の収納部に配設することを特徴とする請求項１８に記載の画像表示装置。
【請求項２０】
前記第５の収納部を筺体の最下部に配設し、前記冷却部に係わる吸気口および排気口を前記第５の収納部に配設することを特徴とする請求項１９に記載の画像表示装置。
【請求項２１】
前記冷却部に係わる放熱部の吸気口の近傍に温度検出器を配設し、前記放熱部の排気口の近傍に送風機を配設することを特徴とする請求項２０に記載の画像表示装置。
【請求項２２】
少なくとも第１の収納部および第２の収納部に断熱部を配設することを特徴とする請求項１８から請求項２１のいずれか１項に記載の画像表示装置。
【請求項２３】
前記冷却部は、前記画像表示器の冷却を行う空気の循環流路を備えることを特徴とする請求項１８から請求項２１のいずれか１項に記載の画像表示装置。
【請求項２４】
前記循環流路は、前記第１の収納部および前記冷却部を管状部材または通風ダクトにより接続し流路を形成することを特徴とする請求項２３に記載の画像表示装置。
【請求項２５】
前記第１の収納部は、空気の流路としての吸気口および排気口を備え、前記吸気口および排気口を前記第１の収納部の外部に配設した流路とそれぞれ接続し、前記循環流路を構成することを特徴とする請求項２３または請求項２４に記載の画像表示装置。
【請求項２６】
前記画像表示器は、空気の流路としての吸気口および排気口が配設された外装筺体を備え、前記外装筺体の吸気口および排気口の少なくとも一方を前記第１の収納部の吸気口および排気口の少なくとも一方と流路を形成する部材により接続することを特徴とする請求項２４に記載の画像表示装置。
【請求項２７】
前記外装筺体に配設された吸気口の近傍に温度検出器を配設することを特徴とする請求項２６に記載の画像表示装置。
【請求項２８】
前記冷却部は、圧縮器と凝縮器および蒸発器とを備えた第１の冷却装置と、熱伝導による熱交換器を備えた第２の冷却装置とを備えることを特徴とする請求項２１から請求項２７のいずれか１項に記載の画像表示装置。
【請求項２９】
前記第２の冷却装置はプレートフィン、ヒートパイプ、ラジエータのいずれかを備えることを特徴とする請求項２８に記載の画像表示装置。
【請求項３０】
循環流路は、前記画像表示器から排出された空気を前記第２の冷却装置により冷却した後、前記第１の冷却装置により冷却する流路であることを特徴とする請求項２８または請求項２９に記載の画像表示装置。
【請求項３１】
加熱部をさらに備えることを特徴とする請求項１８から請求項３０のいずれか１項に記載の画像表示装置。
【請求項３２】
前記第１の収納部から第５の収納部の少なくともいずれかに、当該収納部内の空気を撹拌する送風機をさらに備えることを特徴とする請求項１８から請求項３１のいずれか１項に記載の画像表示装置。
【請求項３３】
前記温度検出器により検出される前記筺体外部の温度および前記筺体内部の温度をそれぞれ複数の温度範囲に区画して複数の温度制御モードを設定し、前記画像表示器、冷却部、加熱部および送風機に関し、前記温度制御モード別にオン／オフおよび出力の切り替えの少なくともいずれかについて機能設定を行い、前記筺体内部の温度および温度制御サイクルの周期を一定範囲内に維持することを特徴とする請求項１８から請求項３２のいずれか１項に記載の画像表示装置。
【発明の詳細な説明】
【技術分野】
【０００１】  本発明は、画像表示装置に関するものであり、特に屋外など、外光や照明のある環境下において使用する画像表示装置に関するものである。
【背景技術】
【０００２】  近年、画像表示装置の大型化、高輝度化、高精細化の進展とネットワーク環境の普及に伴って、従来の街頭ポスターなどに代わり、映像媒体による電子広告の配信ビジネスが急速に拡大している。街頭ポスターでは広告内容を変更するたびにポスターの貼り替え作業等が発生するが電子広告では配信サーバのコンテンツを変更するのみで瞬時に広告内容の変更が可能となり有用な広告媒体として注目されている。【０００３】  電子広告では不特定多数の視聴者を対象に大型の画像表示装置を屋外の公共の場所などに設置して使用する。映像を室内で利用する場合と異なり、屋外広告に利用する場合には、高精細度かつ高輝度の表示画像が不可欠の要件であるなど、大型画面における表示品質の確保が最も重要な課題となる。さらに、屋外使用においては、埃や風雨の影響にも十分な配慮が必要である。【０００４】  大型画面を表示する場合には、液晶ディスプレイやプラズマディスプレイ、ＬＥＤなどの表示装置により直接大画面表示を行う方法と、プロジェクターにより画像情報を拡大投射して表示する方法を利用することができる。【０００５】  このうち、ＬＥＤを用いた表示装置は、高輝度の画像を提供することができるが、画素ピッチが粗いため、高精細にしようとすると、画面サイズを大きくしなければならず、結果として高コストになっていた。また、画面の大型化に伴い、消費電力も増加する。【０００６】  液晶ディスプレイやプラズマディスプレイを利用する方法は、高精細の画像を提供することができるが、通常の屋内用ディスプレイでは輝度が不十分であり、高輝度を得ようとすると消費電力が極めて大きくなるという問題がある。さらに、これらの直視型のディスプレイは、パネル部分が直射日光に曝されると、パネル内部に近接して配置されているディスプレイ構成素子の温度が上昇し、性能が劣化する。【０００７】  一方、プロジェクターを利用する方法は、ミラーを介して映像を透過型スクリーンへ投射する背面投射型（リア方式）プロジェクターまたは映像を直接反射型スクリーンに投射する前面投射型（フロント方式）プロジェクターの２つの方式が利用可能であり、投射ユニットがスクリーンから離れて配置されるため、直視型のディスプレイに較べて、直射日光の影響を低減することが可能である。【０００８】  しかしながら、プロジェクターの光源が発熱体となることに加え、ＤＭＤ（Ｄｉｇｉｔａｌ  Ｍｉｃｒｏｍｉｒｒｏｒ  Ｄｅｖｉｃｅ）や液晶表示素子といった画像表示素子、偏光フィルター等の温度上昇によって性能が劣化しやすい光学デバイスが用いられているため、筺体内部を効率的に冷却することが重要となる。とりわけ、屋外において直接太陽光に曝される環境では、直射日光による筺体の温度上昇が問題になるため、使用環境を考慮したプロジェクターの温度管理が必要となる。【０００９】  これまで、屋外設置用の表示装置としては、例えば、プロジェクターの筺体内に空調機を配設する方法が提案されている（例えば、特許文献１〜３参照）。【００１０】  また、投射型表示装置を効率的に冷却する技術としては、空調機、熱交換器、断熱性部材、仕切り板などを使用して冷却効果を向上させる方法が、従来、開示されている（例えば、特��文献４〜６参照）。【００１１】  しかしながら、従来、開示されているプロジェクターの冷却効果を高める技術では、屋外設置における対策が十分とはいえない。特許文献１〜３においては、空調機の性能を適切に活用するための具体的な構成が明確化されていない。また、特許文献４〜６においては、画像表示素子およびその周辺部の冷却構造について公開されているが、スクリーンを含めた筺体全体の冷却を最適化するための構成が示されていない。【００１２】  特に街頭ポスターなどに代わり、広告媒体として屋外で使用する場合には、スクリーンまでを含めた筺体全体の設置環境に関する詳細な検討が不可欠であり、気温や日照の条件等に関する厳しい耐候性が要求される。【００１３】  プロジェクターを使用した投射型の画像表示装置において冷却効果を高める従来の技術は、画像表示素子を主とした投射ユニットの放熱効果を向上させるに止まり、光源やスクリーン等の装置に搭載された構成要素全ての冷却条件を総合的に満たすには課題が残り、多様な屋外環境に設置する画像表示装置としては十分な冷却を実現できていなかった。【００１４】  また、屋外環境においては、投射される画像の十分な視認性を確保することが重要であるが、屋内用プロジェクターに適用される通常の投射形態のままでは、十分な輝度を確保できていなかった。【００１５】  また、屋外設置を目的とする場合には、防塵構造を備えない従来の構成では表示画質の品質が劣化し、故障の原因になるために設置が困難であった。【００１６】  また、屋外では温度変化が大きく、画像表示装置の内外の温度差によって結露が生じやすい。結露状態で電源を入れると故障の原因になるなど、電源回路等では安全上に問題がある。【００１７】  また、冷却手段として空調機等を利用した場合には、スクリーンに投射された表示画像が振動で揺れるという問題があった。【００１８】  さらに、屋外設置の場合は、盗難の危険があるので、盗難防止の対策が必要である。
【先行技術文献】
【特許文献】
【００１９】
【特許文献１】特開２００２−３１１５０８号公報
【特許文献２】特開２００２−３４１８１０号公報
【特許文献３】特開２００３−１４９７３９号公報
【特許文献４】特開２０００−２９８３１１号公報
【特許文献５】特開２００５−１４８６２４号公報
【特許文献６】特開２００１−２０９１２５号公報
【発明の概要】
【００２０】  本発明の画像表示装置は、所定の投射距離において所定の寸法および所定の輝度で画像を前面投射可能な画像表示器と、画像表示器が投射した画像を表示する透過型のスクリーンとを筺体に収納し、画像表示器の投射経路上に配設されたスクリーンに画像を背面投射する画像表示装置であって、筺体は、断熱部と、筺体の内部の冷却を行う冷却部とを備え、断熱部は、画像表示器の周辺部に配設して断熱を行う第１の断熱部と、スクリーンの周辺部に配設して断熱を行う第２の断熱部とを備えることを特徴とする。
【００２１】  このような構成により、画像表示器の周辺部に配設して断熱を行う第１の断熱部と、スクリーンの周辺部に配設して断熱を行う第２の断熱部とにより、画像表示装置の内部を区画して断熱を行い、画像表示器およびスクリーンを冷却することが可能となる。したがって、プロジェクターを使用した投射型の画像表示装置において、プロジェクターやスクリーン等の搭載機器や部品に関するそれぞれの冷却条件に対して適切に温度制御を行うことができ、多様な屋外環境に設置可能な高精細度で高輝度の画像表示装置を実現することができる。特に、耐候性に優れ、厳しい外気温下でも動作させることができるため、屋外広告等の情報提供サービスに使用可能な利便性の高い画像表示装置を実現することができる。
【００２２】  また、本発明の画像表示装置は、所定の投射距離において所定の寸法および所定の輝度で画像を前面投射可能な画像表示器と、画像表示器が投射した画像を表示する透過型のスクリーンとを筺体に収納し、画像表示器の投射経路上に配設されたスクリーンに画像を背面投射する画像表示装置であって、筺体は、画像表示器を配設した第１の収納部と、スクリーンを配設した第２の収納部と、筺体の内部の冷却を行う冷却部を配設した第３の収納部とを備え、第１の収納部、第２の収納部および第３の収納部を壁面状部材により区画することを特徴とする。
【００２３】  このような構成により、筺体は、画像表示器を配設した第１の収納部と、スクリーンを配設した第２の収納部と、筺体の内部の冷却を行う冷却部を配設した第３の収納部とを備え、第１、第２および第３の収納部を壁面状部材により区画することが可能となる。したがって、画像表示器と冷却部の収納場所を確実に分離することにより効率的な冷却経路を構成し冷却効率を高めるとともに、振動や防塵など冷却部その他の機器や部品等の配設に伴う構造的な悪影響を抑制することができる。これにより、屋外設置用の画像表示装置に関し、特に冷却機能の向上と、冷却部に係わる負荷の軽減および効率化を実現し、多様な屋外環境に設置可能な高精細度で高輝度、かつ、高品質の温度調節機能を備えた画像表示装置を実現することができる。
【図面の簡単な説明】
【００２４】
【図１Ａ】図１Ａは本発明の実施の形態１における画像表示装置の基本的な考え方を示す説明図である。
【図１Ｂ】図１Ｂは本発明の実施の形態１における画像表示装置の基本的な考え方を示す説明図である。
【図２】図２は本発明の実施の形態１における画像表示装置の外観を示す斜視図である。
【図３】図３は本発明の実施の形態１における画像表示装置の主要な構成を示す配置図である。
【図４Ａ】図４Ａは本発明の実施の形態１における画像表示装置の構成に関する応用事例を示す主要配置図である。
【図４Ｂ】図４Ｂは本発明の実施の形態１における画像表示装置の構成に関する応用事例を示す主要配置図である。
【図５】図５は本発明の実施の形態１における画像表示装置の用途に関する応用事例を示す主要配置図である。
【図６Ａ】図６Ａは本発明の実施の形態１における画像表示装置のスクリーンの構成を示す断面図である。
【図６Ｂ】図６Ｂは本発明の実施の形態１における画像表示装置のスクリーンの構成を示す斜視図である。
【図７】図７は本発明の実施の形態１における画像表示装置のスクリーンの保護板に関する光学特性図である。
【図８】図８は本発明の実施の形態１における画像表示装置の防塵構造の事例を示す斜視図である。
【図９】図９は本発明の実施の形態１における画像表示装置の防塵構造の事例を示す斜視図である。
【図１０】図１０は本発明の実施の形態１における画像表示装置の防塵構造の事例を示す斜視図である。
【図１１】図１１は本発明の実施の形態１における画像表示装置の結露対策の事例を示す主要配置図である。
【図１２】図１２は本発明の実施の形態１における画像表示装置の結露対策の制御回路に関する事例を示すブロック図である。
【図１３Ａ】図１３Ａは本発明の実施の形態１における画像表示装置の振動対策の事例を示す主要配置図である。
【図１３Ｂ】図１３Ｂは本発明の実施の形態１における画像表示装置の振動対策の事例を示す部分拡大図である。
【図１４】図１４は本発明の実施の形態１における画像表示装置の振動対策の事例を示す斜視図である。
【図１５Ａ】図１５Ａは本発明の実施の形態１における画像表示装置の筺体の内部の温度と冷却シーケンスとの関係の事例を示す図である。
【図１５Ｂ】図１５Ｂは本発明の実施の形態１における画像表示装置の筺体の内部の温度と加熱シーケンスとの関係の事例を示す図である。
【図１６Ａ】図１６Ａは本発明の実施の形態１における画像表示装置の光源の点灯数を制御した場合の筺体内の温度との関係の事例を示す図である。
【図１６Ｂ】図１６Ｂは本発明の実施の形態１における画像表示装置の光源のランプパワーを制御した場合の筺体内の温度との関係の事例を示す図である。
【図１７Ａ】図１７Ａは本発明の実施の形態１における画像表示装置の熱流の循環経路の事例を示す主要配置図である。
【図１７Ｂ】図１７Ｂは本発明の実施の形態１における画像表示装置の熱流の循環経路の事例を示す主要配置図である。
【図１８Ａ】図１８Ａは本発明の実施の形態１における画像表示装置の安全対策に関する事例を示す主要配置図である。
【図１８Ｂ】図１８Ｂは本発明の実施の形態１における画像表示装置の安全対策に関する事例を示す主要配置図である。
【図１９】図１９は本発明の実施の形態２における画像表示装置の主要な構成を示す配置図である。
【図２０】図２０は本発明の実施の形態２における画像表示装置の構成に関する応用事例を示す主要配置図である。
【図２１Ａ】図２１Ａは本発明の実施の形態２における画像表示装置の具体的な構成の事例を示す主要配置を示す前面図である。
【図２１Ｂ】図２１Ｂは本発明の実施の形態２における画像表示装置の具体的な構成の事例を示す主要配置を示す側面図である。
【図２２Ａ】図２２Ａは本発明の実施の形態２における画像表示装置の空調器がＯＦＦモードの場合の内部の温度制御に関する制御モードの設定事例を示す図である。
【図２２Ｂ】図２２Ｂは本発明の実施の形態２における画像表示装置の空調器がＯＮモードの場合の内部の温度制御に関する制御モードの設定事例を示す図である。
【発明を実施するための形態】
【００２５】  以下、本発明の実施の形態について、図１から図２２を用いて説明する。なお、以下の説明で電源を入れること「オン」または「ＯＮ」と記し、電源を切断することを「オフ」または「ＯＦＦ」と記す。
【００２６】  （実施の形態１）  まず、本発明の実施の形態における画像表示装置を案出するに至った基本的な考え方について、図１Ａ、１Ｂにより説明する。本発明は前面投射型の画像表示器を背面投射型として使用した画像表示装置であり、画像表示器として、屋内用の拡大表示装置として一般的に使用される前面投射型のプロジェクターを使用する。図１Ａに示すように、前面投射型のプロジェクターＰは、機器の仕様として所定の投射距離（標準的な投射距離）Ｄ１において所定の寸法（標準的な寸法）のスクリーンＳ１上に所定の輝度（標準的な輝度：例えば、Ｋ１）で画像を投射して表示することができる。
【００２７】  この場合、プロジェクターＰに対して投射距離Ｄ１をＤ２に変化させて小さくすると、投射距離Ｄ２におけるスクリーンＳ２に投射される画像の寸法は投射距離に比例して小さくなり、画像の表示面積はスクリーンＳ１に対して投射距離の二乗に比例して縮小される。
【００２８】  一方、スクリーンＳ２における表示画像の輝度はスクリーンＳ１に投射する場合の標準的な輝度Ｋ１に対して、投射距離の二乗に反比例して増加する。したがって、屋内用の前面投射型のプロジェクターＰと用途に適した寸法のスクリーンＳ２を筺体に収納し、スクリーンＳ２に対するプロジェクターＰの投射距離がＤ２となるようにプロジェクターＰおよびスクリーンＳ２を配置して筺体を構成することにより、屋内用の前面投射型プロジェクターや背面投射型プロジェクターよりも高輝度で小型の画像表示装置を実現することができる。
【００２９】  図１Ｂは、上記に述べた方法により小型で高輝度の画像表示装置を構成した場合の事例を示す。この事例では、縦型の筺体Ｃの前面上部にスクリーンＳ２を配設するとともに、前面投射型のプロジェクターＰを筺体Ｃの下部に上向きに配置し、ミラーＭを配設することによりプロジェクターＰの投射経路を装置の上下方向から前後方向に変更している。これにより、画像表示装置の奥行を小さくし、使用上の利便性を高めることができる。
【００３０】  なお、プロジェクターＰとしては、例えば、２００インチの投射画像を輝度５００カンデラ毎平方メートルで投射表示が可能な標準的な屋内用のプロジェクターを使用することができる。この場合、５０インチのスクリーンＳ２を搭載した画像表示装置においては、投射距離は５０／２００＝１／４となり、前述のように輝度は距離の二乗に反比例して増加するため、輝度が１６倍、すなわち８，０００カンデラ毎平方メートルとなり、屋外で使用可能な高輝度の画像表示装置を提供することができる。
【００３１】  つぎに、本発明の実施の形態における画像表示装置の基本構成および機能について、図により説明する。図２は、本発明の実施の形態における画像表示装置１（以下、「本装置１」と略記する）の外観を示す斜視図、図３は、本装置１の主要な構成を示す配置図である。
【００３２】  図２に示すように、本装置１は筺体２を備え、外観上の特徴として、筺体２の前面部に扉部２ａを備えており、扉部２ａの上部にはスクリーン６を視認するための窓部が配設され、扉部２ａの下部には通気口２ｂが配設されている。
【００３３】  本装置１は、筺体２の内部に画像表示器としての投射型のプロジェクターユニット３（以下、プロジェクター３と略記する）、窓４、ミラー５および透過型のスクリーン６を備え、プロジェクター３から出力された画像情報を窓４およびミラー５を経由してスクリーン６に投射することにより、画像を大画面で表示する機能を発揮することができる。プロジェクター３にはパソコンなどの情報処理装置（図示せず）が接続されて、情報提供サービスに必要な情報を蓄積し、または通信回線を介して外部から情報を入手することができる。
【００３４】  本装置の構成上の特徴として、断熱部が配設された筺体と、画像表示器と、画像表示器から出力された画像を表示するスクリーンと、筺体の内部の冷却を行う冷却部とを備え、断熱部は、画像表示器の周辺部に配設して断熱を行う第１の断熱部と、スクリーンの周辺部に配設して断熱を行う第２の断熱部とを備えている。
【００３５】  以下、本装置１を構成する主要な要素および機能について説明する。
【００３６】  筺体２は、内部が密閉構造になっている収納部７と、駆動部８に区画されている。収納部７には第１の断熱部１１、第２の断熱部１２が配設されている。第１の断熱部１１は、第１の断熱部材１１ａに窓４を組み込んだ箱状に形成され、内部に外装筺体であるカバー３ａにより周囲が覆われたプロジェクター３および加熱器２１を備えている。
【００３７】  また、第２の断熱部１２は、プロジェクター３から出力された画像情報を拡大して投射するために配置されたミラー５およびスクリーン６の周辺部において筺体２の内側の両側面および背面の内側に第２の断熱部材１２ａを配置して形成されている。さらに、収納部７には、プロジェクター３を覆って配設される第１の断熱部材１１ａと、筺体２と密閉した状態で熱交換器２２が配置されている。
【００３８】  第１の断熱部１１は、熱源としてのプロジェクター３を冷却するために配設され、蒸発器２５から供給される冷気が周囲に拡散するのを防止する機能を備えており、プロジェクター３の冷却効率を高める効果を発揮することができる。第１の断熱部１１は、第１の断熱部材１１ａの外周部が薄板状の部材１１ｂで被覆されており、第１の断熱部１１および第２の断熱部１２を、壁面により区画している。なお、第１の断熱部材１１ａの材料としては発砲ウレタンなどを使用し、窓４には複層ガラス材を使用することができる。
【００３９】  第２の断熱部１２は、筺体２が太陽熱などにより照射された場合に、ミラー５やスクリーン６などが加熱されるのを防止する目的で配設され、筺体２の内部への熱伝達を遮断する機能を備えており、プロジェクター３から出力される画像情報の拡大投射に係わる部材の温度上昇を抑制する効果を発揮することができる。第２の断熱部１２における第２の断熱部材１２ａには発砲ウレタンなどを使用し、内側表面に可視光を吸収するように黒色の放射率の高い部材を使用する。これにより、第２の断熱部１２を効果的に放熱するとともに、表示画像のコントラストを上げて画像品質を向上させている。
【００４０】  加熱器２１は、本装置１の所定箇所の温度が動作温度より低下した場合、加熱器２１を動作させることにより、動作温度まで温度を上昇させ、本装置１の温度制御を行う目的で配設されている。この構成により、本装置１を低温環境下でも使用することができる。したがって、本装置１の使用温度範囲を拡大することができる。温度の検出は、第１の断熱部１１の内部に設置した温度センサー（図示せず）により行う。
【００４１】  また、本装置１の筺体下部の駆動部８には、空調機および電源ユニット（図示せず）が配設されており、空調機は圧縮器２３、凝縮器２４および蒸発器２５を備え、蒸発器２５は第１の断熱部１１に密閉して配置され、第１の断熱部１１の内部の空気を冷却することができる。
【００４２】  空調機の循環サイクルとしては、まず、冷媒ガスが圧縮器２３により圧縮され高温になった状態で凝縮器（アルミ構造のフィン）２４に送られる。凝縮器２４中で冷媒ガスはファンにより冷却されて液化し蒸発器２５に送られ、蒸発器２５の内部で液化ガスが周囲から気化熱を奪いながら蒸発し、アルミ構造のフィンを冷却する。
【００４３】  上述の通り、本装置１は、第１の断熱部１１の内部を冷却する手段として、圧縮器２３、凝縮器２４、蒸発器２５を備えた第１の冷却部としての空調機、および熱伝導による熱交換機能を備えた第２の冷却部としての熱交換器２２を備えている。熱交換器２２としては、ヒートシンク、ヒートパイプ、空気式熱交換器などを使用することができる。
【００４４】  また、冷却の手順に関する特徴として、プロジェクター３を冷却するために、空調機によりプロジェクター３の内部で加熱された空気をカバー３ａの外部に導出するとともに、導出された排気熱を熱交換器２２により筺体２の外部に放熱を行った後、空調機による冷却領域を経由して２次的な冷却を行うように、仕切り板により空気の冷却経路３１、３２が形成されている。図３において、プロジェクター３から発せられる空気の冷却経路を、矢印により示す。
【００４５】  なお、本装置１の筺体２には、床部に移動用の車輪２ｃが設けられており、本装置は可搬性を備えている。したがって、本装置１の向きを変えることや移動することが容易であり、本装置１の設置およびメンテナンス等において、利便性が向上する。
【００４６】  つぎに、本装置の構成に関する応用事例について、図４Ａ、４Ｂにより説明する。
【００４７】  図４Ａ、４Ｂは、プロジェクター３の構成に関する応用事例の基本的な構成を示す主要配置図である。第１および第２の断熱部の構成は、図３に示す事例と同様であり、説明用の記号を一部省略する。
【００４８】  本装置１００の筺体１０２は密閉構造とせず、筺体１０２に吸気口１５１および排気口１５２を備えており、扉部１０２ａの下部に設けられた通気口（図２の通気口２ｂ）を経由し、吸気口１５１から吸気して、圧縮器１２３、凝縮器１２４、蒸発器１２５から構成される空調機により第１の断熱部１１１内の冷却を行い、プロジェクター１０３内で加熱された空気の排気は、プロジェクター１０３のカバー１０３ａに設けられた排気口（図示せず）から本装置１００の筺体１０２に設けられた排気口１５２を経由して外部に排気することができる。
【００４９】  なお、筺体１０２は密閉構造ではないが、吸気口１５１にはフィルターが設けられ、埃などの侵入を防ぐことができる。フィルターについては、後述する。
【００５０】  図４Ａは、吸気口１５１を本装置１００の前面部に設け、排気口１５２を背面部に設けた事例を示し、図４Ｂは、吸気口１５１を本装置１００の背面部に設け、プロジェクター１０３からの加熱空気を本装置１００の側面に設けた排気口１５２から排出する事例を示す。なお、図４Ａに示す事例では、筺体下部の駆動部１０８に蒸発皿１５３が配設されており、蒸発器１２５による冷却で発生した水滴が蒸発皿１５３へと排水される構成となっている。そして、プロジェクター１０３から排出された排気熱により、蒸発皿１５３にたまった水滴を蒸発させることができる。
【００５１】  この構成は、筺体を密閉構造にした場合に較べて、外部に排熱するための熱交換器を配設する必要がなく、構成を簡略化し、コストを低減する効果を発揮することができる。
【００５２】  なお、本装置１の用途に関する応用事例として、図３における第１の断熱部１１を第２の断熱部１２と分離して、図５に示すように、駆動部８とともに、窓２０２が設けられた筺体２０１に収納する構成とすることにより、フロント方式で投射する画像表示装置２００を実現することができる。
【００５３】  つぎに、本装置１を設置した場合の周囲環境に係わる諸対策、ならびに本装置１が備える構成および機能について、図６〜図１６により説明する。
【００５４】  まず、図６Ａ、６Ｂにより、図３に示すスクリーン６の詳細な構成について説明する。図６Ａ、６Ｂは本実施の形態のスクリーン６の詳細な構成を示す断面図および斜視図である。図６Ａ、６Ｂにおいて、スクリーン６は、フレネルレンズ６１、拡散板６２および前面保護パネル６３を備えている。また、図６Ａに示すように、プロジェクター３と対向する側に、フレネルレンズ６１、拡散板６２、前面保護パネル６３の順に配置される。
【００５５】  フレネルレンズ６１は、断面鋸歯状となるように同心的にレンズを形成して、発散する投写光を観察者側に集光する作用を持たせたものである。拡散板６２は、アクリル樹脂、あるいは、その他の透明基材に、１種類または複数種類の基材とは異なる屈折率を有する微粒子を散乱子として混入し、投写光を拡散する板状の部材としたものである。または、シート状の部材としたものである。
【００５６】  前面保護パネル６３は、透明基材で形成された板状の部材である。透明基材の材料として、ガラス、アクリル樹脂、ポリカーボネイト樹脂などの、透明性だけではなく、物理的強度も高く、板状に加工しやすい材料が適している。また、前面保護パネル６３には、可視光を部分的に吸収するようにティント材を含有させて着色をしている。特に、紫外光、赤外光に対する特性に配慮されており、それぞれの波長の成分を吸収あるいは反射する構造および材料成分が採用されている。図７に前面保護パネル６３の透過率に関する光学特性の事例を示す。図７に示すように、可視光領域では透過率がほぼ１００％になるが、それよりも波長の短い紫外光領域および波長の長い赤外光領域では透過率が極端に低下する。この特性により前面保護パネル６３は可視光のみを透過し、紫外光領域および赤外光領域では反射または吸収する機能を備えている。なお、前面保護パネル６３の筺体２の外部に露出する表面には帯電防止機能を備えた塗料が塗布されている。塗布の方法としては、コートスプレーやイオンシャワーなどを使用することができる。この構成により、前面保護パネル６３は帯電を防止することが可能となり、スクリーン６の筺体２の外部に露出する側の表面が帯電することがない。したがって、本実施の形態の画像表示装置ではスクリーン６の表面に帯電した異物が付着することがなく、スクリーン６の表面を汚れなどのない清浄な状態に維持することができ、高品質の表示画面を提供することができる。
【００５７】  拡散板６２と前面保護パネル６３は、所定の距離を保つように保持されており、当該空間は、空気の流通が可能な空間（空気流通層６４）を形成している。なお、所定の距離としては、前後の部材の接着等をせずに、空気の自然対流や強制冷却が可能な寸法であればよい。以上のように、本装置１に配設されたスクリーン６は物理的強度の高い板状の前面保護パネル６３を備えているため、本装置１を屋外に設置した場合であっても、スクリーン６を物理的な損傷から保護することができる。
【００５８】  つぎに、図８〜１０により、本装置１００が備える防塵対策に係わる構成について説明する。
【００５９】  図８は、図４に示す本装置１００の筺体１０２の前面部に備える吸気口１５１の詳細な構成を示している。図８に示すように、内側に断熱材８１１ａを備えた筺体１０２の前面部に配設された吸気口１５１の外側には、それぞれ網目の大きさが異なる防塵用のフィルター８８１、８８２、８８３が、取手８８４により一括して取り外し可能に配設されている。したがって、フィルター８８１、８８２、８８３は、適時取り外して埃を取り払うことができる。図４に示す筺体１０２の背面部に配設される排気口１５２についても同様の構成とすることができる。
【００６０】  図９は、吸気口９５１に配設されたフィルター９８１に関し、付着した埃を自動的に除去する機能を付加した事例を示している。吸気口９５１には、回転式の清浄機９８２が配設されている。清浄機９８２は回転面にタワシ状の摺動部が形成されており、一定時間毎に、Ａ方向に回転しながらフィルター９８１の表面に接して上下方向（Ｙ方向）に一定の速度で移動することができる。これにより、適時フィルターの埃を除去することができる。
【００６１】  図１０は、図９に示す構成の応用事例を示すものであり、内側に断熱材１０１１ａを備えた筺体１００２の前面部に設けられた吸気口１０５１には清浄機１０８２によりフィルター１０８１の埃の除去を行うことができる他、シャッター１０８３、１０８４を備えている。シャッター１０８３およびシャッター１０８４はそれぞれ左右方向（Ｘ方向）に移動することができる。これにより、本装置１００では、電源をＯＦＦと連動してシャッター１０８３およびシャッター１０８４を駆動することにより、吸気口１０５１を閉じることができる。
【００６２】  なお、図４に示す排気口１５２についても、図９および図１０に示す構成を適用できる。また、図２に示す筺体２の扉部２ａの窓部にスクリーンシャッターを配設することによっても、同様の効果を発揮することができる。
【００６３】  また、図２に示す筺体２やスクリーン６に帯電防止手段を備えることにより、塵埃等の付着を抑制することができるため、図８〜図１０に示す対策と併用することにより、防塵効果をさらに高めることができる。
【００６４】  このような構成により、本装置１００の吸気口に備えた防塵フィルターにより塵埃の侵入を抑制することが可能となる。また、筺体の帯電防止が可能となり、筺体に塵埃等の帯電物が付着することもない。したがって、本装置１００では塵埃や帯電物が付着することや、筺体の内部に塵などの異物が侵入するのを防止することができ、塵や埃の多い屋外環境に設置可能な耐候性および耐久性にすぐれた画像表示装置を実現することができる。
【００６５】  つぎに、図１１および図１２により、本装置１が備える結露対策に係わる構成について説明する。図１１は、図３に示す本装置１において、結露対策に係わる構成をさらに備えた事例を示す。本装置１の基本構成は図３と同様であり、駆動部、加熱部、冷却部等の図示を省略する。図１１において、本装置１は、筺体２の内部に設けられた第１の断熱部１１に結露センサー１３を備えている。結露センサー１３は、例えば画像表示器としてのプロジェクター３のカバー３ａに貼り付けされるが、この場所に限定されるものではない。結露センサー１３の配設場所は、設計的な事項として決定される。例えば、第１の断熱部の他、スクリーン６の外側に結露センサー１４を配設することも可能であり、結露センサーを複数配設することにより、結露の検出機能を高めることができる。
【００６６】  図１２は、結露センサー１３および結露センサー１４を使用する場合の本装置１の結露対策に係わる制御回路の事例を示すブロック図である。本装置１ではＡＣ電源とプロジェクター駆動回路１２０２の間にはリレースイッチ１２０１およびリレースイッチ１２０４が直列に接続されている。結露センサー１３はリレースイッチ１２０１と加熱器駆動回路部（電源回路を含む）１２０３に接続される。同様に、結露センサー１４はリレースイッチ１２０１と圧縮器駆動回路部（電源回路を含む）１２０５にも接続される。
【００６７】  この構成により、リレースイッチ１２０１が結露センサー１３から結露情報を受信した場合は、プロジェクター駆動回路部１２０２の電源をＯＦＦにしたうえ、加熱器駆動回路部１２０３の電源回路をＯＮにして加熱器２１（図示せず）を動作させて、結露を検出した第１の断熱部１１を加熱し、結露を解消することができる。また、スクリーン６の外側に接する外気の温度が低いことが原因で結露センサー１４がスクリーン６の外側の結露を検出した場合には、プロジェクター駆動回路部１２０２の電源をＯＦＦにしたうえ、加熱器の代わりに圧縮器駆動回路部１２０５を動作させ、第２の断熱部１２の冷却を開始し、スクリーン６の内側を冷却することにより結露を解消することができる。なお、本装置１の電源ＯＦＦと連動して筺体２の吸気口と排気口（図示せず）を閉じることにより、水分や湿気が筺体２の内部に入るのを抑制することができる。これにより結露対策の効果を高めることができる。
【００６８】  上記の通り、本装置１は、筺体２の内部および外部における湿度変化に係わる情報に基づいて本装置１の駆動制御を行うことを特徴とする。具体的な動作として、結露センサーが結露を検出した場合は、画像表示器としてのプロジェクターの電源をＯＦＦにするとともに、結露センサーが結露を検出している間、加熱部または冷却部が作動し、非結露となったときプロジェクターの電源をＯＮにする。したがって、筺体２の内部および外部の湿度が変化した場合であっても、本装置１の駆動制御を行うことにより、本装置１は結露時に動作することがなく、結露対策を確実に行うことができる。これにより、結露による本装置１の誤動作を防止し、多様な屋外環境に設置可能な高品質の画像表示装置を実現することができる。
【００６９】  つぎに、図１３Ａ、Ｂおよび図１４により、本装置１が備える振動対策に係わる構成について説明する。図１３Ａ、Ｂおよび図１４は、本装置１が備える振動対策に係わる構成を示す主要配置図および部分拡大図および斜視図である。
【００７０】  図１３Ａ、Ｂおよび図１４に示すように、本装置１は、圧縮器の保持部が防振ゴムなどにより筺体２に固定され、振動発生源に対して振動対策がなされている（特に図示せず）他、スクリーン６に投射される表示画像に関し、画像揺れ防止用の防振構造を備えている。特に光学エンジンを含むプロジェクター３およびミラー５は、図１３Ａに示すように、吊下げ構造によって保持されている。プロジェクター３およびミラー５は、Ｌ型部材などにより中空な箱型に骨組みされた吊下げ構造体１３０１に固定して保持される。また、吊下げ構造体１３０１は上部の４箇所Ｂ１〜Ｂ４でそれぞれ振動吸収部材１３０２ａを介して筺体２の天面に吊下げられる。
【００７１】  図１３Ｂは、図１３ＡのＢ部の詳細な構成を示す一部断面図であり、吊下げ構造体１３０１を構成する４つの吊下げアングル１３０１ａ〜１３０１ｄのうちのひとつである吊下げアングル１３０１ａが防振ゴムなどを材料とする振動吸収部材（緩衝部材）１３０２ａを介して筺体２の天面に吊下げられた様子を示す。その他の吊下げアングル１３０１ｂ〜１３０１ｄも同様の構造を備えている。このような構成により、画像表示器や圧縮器の保持部に防振構造を配設することが可能となる。したがって、画像表示装置に備えるプロジェクター３や圧縮器２３（図３）などから発生する振動を原因とするスクリーン６における表示画面の揺れを防止することができる。これにより、屋外に設置可能で表示画面に揺れのない高品質の画像表示装置を実現することができる。
【００７２】  なお、プロジェクター３からスクリーン６に至る光学系に対して防振対策を行うことにより、スクリーン６における表示画像の揺れの防止にさらに効果を発揮することができる。
【００７３】  つぎに、図１３Ａ、Ｂ、図１５Ａ、Ｂおよび図１６Ａ、Ｂにより、本装置１の駆動制御に係わる構成について説明する。
【００７４】  まず、本装置１は、筺体２の内部の温度変化に係わる情報に基づいて画像表示装置の駆動制御を行うことができる。本装置１の筺体２の内部に第１の温度センサー１３０３を備え、プロジェクター３のカバー３ａの内側に第２の温度センサー１３０４を備えており、第１の温度センサー１３０３が検出した温度が所定の温度以上の場合、冷却部としての圧縮器２３（図３）が作動し、所定の温度以下になったとき、プロジェクター３の電源を入れることができる。また、第１の温度センサー１３０３が検出した温度が所定の温度以下の場合には加熱部としての加熱器２１（図３）が作動して、所定の温度以上になったとき、プロジェクター３の電源を入れることができる。
【００７５】  さらに、第２の温度センサー１３０４が検出した温度が所定の温度以上の場合、例えば、プロジェクター３の光源を２灯から１灯に点灯光源数を制御することにより、プロジェクター３の発熱を抑制することができる。あるいは、プロジェクター３の点灯光源数は変えずに、光源に供給する電力（ランプパワー）を制御することによりプロジェクター３の発熱を抑制するようにしてもよい。なお、別の方法として、圧縮器の稼働率を検出する手段を備え、筺体２の内部の温度が高い場合は圧縮器の稼働率が高くなることを利用して、圧縮器の稼働率に応じて点灯光源数や光源への供給電力を制御するなどにより、プロジェクター３の発熱を制御することができる。
【００７６】  図１５Ａ、Ｂは、本装置１における筺体２の内部の温度（図１５Ａ、Ｂ、図１６Ａ、Ｂでは「筺体内の温度」と略記する）と冷却および加熱シーケンスとの関係の事例を示し、図１６Ａ、Ｂは、プロジェクター３の光源の点灯数およびランプパワーを制御した場合の筺体内の温度との関係の事例を示す。
【００７７】  図１５Ａの冷却シーケンスの制御を説明する。本装置１の電源をＯＮすると、筺体２内の温度は上昇していき、温度センサー１３０３の検出温度が、例えば３０℃に到達すると圧縮器が作動して筺体内の冷却を開始する。一方、夜間等で周囲温度が下がって温度センサー１３０３の検出温度が、例えば１５℃以下になると圧縮器の動作を止めて冷却を終了する。このように、圧縮器の動作の開始と終了の温度閾値には所定の幅（例えば１５℃）のヒステリシスを持たせるのが好ましい。これは、特定の温度で圧縮器の動作と終了（圧縮器の電源のＯＮとＯＦＦ）を制御すると、動作と終了の切り換えが頻繁に発生して筺体２内の温度制御が不安定になるからである。同様の理由で、このヒステリシス制御は他の制御対象（加熱シーケンス、ランプ光源、ランプパワー）に対しても実施されるが、重複を避けるために説明は省略する。
【００７８】  なお、本装置１は、筺体２の外部の照度変化に係わる情報に基づいてプロジェクター３の駆動制御を行う。一例として、筺体２に照度センサー（図示せず）を配設することにより、スクリーン６の照度に応じてスクリーン６における表示画面の輝度を制御することができる。また、本装置１にタイマーを配設することにより、夜間に自動的にスクリーン６における表示画面の輝度を低下させることができる。
【００７９】  したがって、本装置１の設置環境や動作状態によって筺体２の内部の温度が変化した場合であっても、本装置１の駆動制御を適宜行うことにより、筺体２の内部を所定の温度範囲内に保つことができる。これにより、本装置１の動作が安定し、多様な屋外環境に設置可能な高品質の画像表示装置を実現することができる。
【００８０】  同様に、湿度が変化した場合であっても、本装置１の駆動制御を適宜行うことにより、結露時に動作することがなく、結露対策を確実に行うことができる。これにより、結露による本装置１の誤動作を防止するとともに本装置１の安全性を確保することができる。
【００８１】  同様に、照度が変化した場合であっても、本装置１の輝度制御を適切に行うことにより、表示画像の視認性を所定の範囲に維持することができる。これにより、天候、時刻や設置場所の照明条件等に係わりなく適正な輝度の表示画像を維持し、多様な屋外環境に設置可能な高品質の画像表示装置を実現することができる。
【００８２】  本装置１の駆動制御に係わる構成については、以上に述べた構成および機能の他に、多様な設置環境に迅速かつ効果的に対応するための措置として、以下の構成および機能を備え、効果を発揮することができる。
【００８３】  まず、図１７Ａ、１７Ｂに示すように、第１の断熱部３１１は、低温時の対策として排熱の循環利用が可能な構成および機能を備えている。図１７Ａ、１７Ｂは、画像表示装置３００が備える熱流の循環経路を示す主要配置図である。
【００８４】  図１７Ａは、図３に示す本装置１の構成と同じであり、第１の断熱部３１１は密閉型の循環経路１７１、１７２が形成されている。この構成により低温時の対策を行う場合は、冷却部（熱交換器２２、圧縮器２３、凝縮器２４、蒸発器２５）の動作を停止してプロジェクター３の光源により発生する熱を、循環経路１７１、１７２を経由して第１の断熱部３１１において熱流として循環させる。この場合、加熱器２１およびファンを動作させて併用することにより、熱流の循環を加速することができる。
【００８５】  図１７Ｂは、図１７Ａと異なる構成に関する事例であり、吸気口１７３および排気口１７４を備えている。プロジェクター３の光源（図示せず）から発生する熱を本装置３００の外部に導出する排気経路１７５の途中に、開閉弁を備えた通気口１７６が配設されている。したがって、筺体３０１に配設された吸気口１７３および排気口１７４を閉じて、通気口１７６の開閉弁を開くことにより、第１の断熱部３１１においてプロジェクター３の排気熱に関する循環経路（矢印で示す）を構成することができる。
【００８６】  開閉弁を備えた通気口１７６を配設することにより形成可能になった循環経路を使用することにより、プロジェクター３から排出される熱流を排気経路の途中で第１の断熱部３１１の密閉された空間に放出することができる。これにより第１の断熱部３１１では光源の点灯によりプロジェクター３の内部から発生する熱流が循環し、第１の断熱部３１１およびプロジェクター３の内部を高速かつ効果的に加熱し、画像表示装置３００の所定箇所を所定の温度まで短時間に上昇させることができる。なお、画像表示装置３００の結露防止の最重点箇所はプロジェクター３である。プロジェクター３を内部から加熱することにより、プロジェクター３の内部を結露しにくい状態にする効果を発揮する。
【００８７】  つぎに、以上に述べた低温時の対策に関する制御方法について述べる。本装置１では、低温時の駆動対策を要する場合について、以下の措置が実施可能に構成される。
【００８８】  第１の事例は、電源をＯＮすると、画像表示装置の所定箇所が所定の温度範囲になるまで装置内部の温度の定常的な制御（プリヒートなど）を行い、所定の温度範囲になったとき、所定のプロセスに従って画像表示装置としての動作を開始する。この方法は、画像表示装置を標準的な設置場所に設置した場合などに効果を発揮することができる。
【００８９】  第２の事例は、電源ＯＮと同時に、所定のプロセスに従って画像表示装置としての動作を開始する。この方法は、設置場所の温度が定格温度範囲外にならない場合に効果を発揮することができる。
【００９０】  第３の事例は、電源をＯＮすると、所定部分のみ動作を停止した状態で、画像表示装置の所定箇所が所定の温度範囲になるまで装置内部の温度の急速な制御（高速加熱など）を行い、所定の温度範囲になったとき、所定のプロセスに従って画像表示装置としての動作を開始する。この場合の具体的な方法としては、画像表示装置の電源ＯＮと同時に光学素子（ＤＭＤ）以外の部分、特に光源を動作させる。この方法は、設置場所の温度が画像表示装置の定格温度範囲外（例えば５℃以下など）になる場合（寒冷地に設置した場合など）に効果を発揮することができる。
【００９１】  本装置１では、上記の３つの制御方法を切り換え可能に構成する。
【００９２】  つぎに、本装置１が備える安全対策に関する構成について、図１８Ａ、１８Ｂにより説明する。
【００９３】  図１８Ａ、１８Ｂにおける本装置１の基本構成は図３と同様であり、筺体２の内部は第１の断熱部１１、第２の断熱部１２および駆動部８に区分されている。各部の構成は図示を省略する。
【００９４】  図１８Ａ、１８Ｂに示すように、本装置１の筺体２の外面部、例えば天面および前面パネル（扉部）に、自己発電部としてのソーラーパネル１６１、１６２、バッテリー１６３、および位置情報発信部（ＧＰＳ発信部）１６４が配設されている。また、第２の断熱部１２には冷却部としてのクロスファン６６を備えている。
【００９５】  ソーラーパネル１６１、１６２は、太陽光発電を行う機能を備えており、自己発電した電力をクロスファン６６その他の駆動部品に供給し、駆動することが可能となる。これにより、停電、自然災害、不慮または故意の事故などにより、本装置１の電力の供給が停止した場合であっても、特にスクリーンやＤＭＤ（光学素子）等の熱に弱い部品を冷却することが可能となり、これらの部品の温度上昇を抑えて保護することができる。バッテリー１６３は、ソーラーパネルと組み合わせて使用し、ソーラーパネル１６１、１６２から供給される電力を蓄えることが可能である。したがって、何らかの理由により本装置１に電力の供給が停止した場合であって、夜間その他ソーラーパネル１６１、１６２からの電力供給機能が低下する場合や一時的に大電力が必要な場合などの電力供給に効果を発揮する。
【００９６】  位置情報発信部１６４は、バッテリー１６３により駆動し、所定の時間間隔で位置情報の発信を行う。また、位置情報発信部１６４は角速度センサー（図示せず）を備えており、角速度センサーが所定レベル以上の角速度の変化を検出した場合、異常音を鳴らすことができる。したがって、電力の供給が停止した場合であっても、本装置１の移動を検知して周囲に警報を発することができる。これにより、事故や災害に強い、緊急時の機能に優れた高品質の画像表示装置を実現することができる。
【００９７】  また、図１８Ａに示すように、クロスファン６６がスクリーン６の内側（ミラー５と対向する側）の上部に配設されており、スクリーン６が外気や直射光などにより温度上昇が発生し一定温度以上になった場合に動作して、スクリーン６の冷却を行う。クロスファン６６は通常の電力の供給を受けて駆動される他、ソーラーパネル１６１にも接続されており、太陽光発電によっても動作することができる。また、図１８Ｂに示すように、冷却風Ａをスクリーン６の空気流通層６４（図６）を通過させて、クロスファン６６の軸方向に排気し、スクリーン６の冷却を行うことができる。
【００９８】  このような構成により、多様な屋外環境に設置可能な事故や災害に強い、安定性に優れた高品質の画像表示装置を実現することができる。
【００９９】  以上の通り、本発明による画像表示装置を使用することにより、プロジェクターを使用した投射型の画像表示装置において、プロジェクターやスクリーン等の搭載機器や部品に関するそれぞれの冷却条件に対して適切に温度制御を行うことができ、多様な屋外環境に設置可能な高精細度で高輝度の画像表示装置を実現することができる。特に、耐候性に優れ、厳しい外気温下でも動作させることができるため、屋外広告等の情報提供サービスに使用可能な利便性の高い画像表示装置を実現することができる。
【０１００】  （実施の形態２）  つぎに、本発明の実施の形態２における画像表示装置の基本構成および機能について、図１９から図２２を用いて説明する。図１９は、本発明の実施の形態２における画像表示装置４００（以下、本装置４００と略記する）の主要な構成を示す配置図である。また、図２０は本装置４００の基本構成に関する応用事例を示す主要配置図、図２１Ａ、Ｂは本装置４００の具体的な構成の事例を示す主要配置を示す前面図および側面図、図２２Ａ、Ｂは本装置４００の空調器がＯＦＦモードおよびＯＮモードの場合の内部の温度制御に関する制御モードの設定事例を示す動作説明図である。図２２Ａ、Ｂの中の「ＬＯＷ」はファンの回転数が低い状態を、「ＨＩＧＨ」はファンの回転数が高い状態をそれぞれ示す。
【０１０１】  本装置４００は、筺体４０２の内部に画像表示器としての投射型のプロジェクターユニット４０３（以下、プロジェクター４０３と略記する）、窓４０４、ミラー４０５および透過型のスクリーン４０６を備え、プロジェクター４０３から出力された画像情報を窓４０４およびミラー４０５を経由してスクリーン４０６に投射することにより、画像を大画面で表示する機能を発揮することができる。プロジェクター４０３にはパソコンなどの情報処理装置（図示せず）が接続されて、情報提供サービスに必要な情報を蓄積し、または通信回線を介して外部から情報を入手することができる。
【０１０２】  以下、本装置４００を構成する主要な要素および機能について説明する。
【０１０３】  本装置４００の筺体４０２は、外装ケース４０２ａおよび収納筺体４０２ｂを備え、収納筺体４０２ｂは内部が壁面状部材４０７、４０８により３つの収納部４１１、４１２、４１３に区画されている。
【０１０４】  第１の収納部４１１（以下、収納部４１１と略記する）は、内側に断熱部として配設された第１の断熱部材４１４（以下、断熱部材４１４と略記する）に窓４０４を組み込んだ箱状に形成され、内部に外装筺体であるカバー４０３ａにより周囲が覆われたプロジェクター４０３および加熱器４２１を備えている。収納部４１１は、熱源としてのプロジェクター４０３を冷却するために配設され、冷却部（後述）から供給される冷気が周囲に拡散するのを防止する機能を備えており、プロジェクター４０３の冷却効率を高める効果を発揮することができる。なお、断熱部材４１４の材料としては発砲ウレタンなどを使用し、窓４０４には複層ガラス材を使用することができる。また、加熱器４２１は、本装置４００の所定箇所（後述）の温度が動作温度より低下した場合、加熱器４２１を動作させることにより、動作温度まで温度を上昇させ、本装置４００の温度制御を行う目的で配設されている。この構成により、本装置４００を低温環境下でも使用することができる。したがって、本装置４００の使用温度範囲を拡大することができる。温度の検出は、収納部４１１の内部に設置した温度センサー４３２により行う。
【０１０５】  第２の収納部４１２（以下、収納部４１２と略記する）は、内側の両側面および背面に断熱部として第２の断熱部材４１５（以下、断熱部材４１５と略記する）が貼り付けられ、プロジェクター４０３から出力された画像情報を拡大して投射するためのミラー４０５およびスクリーン４０６が配置されている。収納部４１２は、外装ケース４０２ａが太陽熱などにより照射された場合に、ミラー４０５やスクリーン４０６などが加熱されるのを防止する目的で配設され、内部への熱伝達を遮断する機能を備えており、プロジェクター４０３から出力される画像情報の拡大投射に係わる部材の温度上昇を抑制する効果を発揮することができる。断熱部材４１５には発砲ウレタンなどを使用し、内側表面に可視光を吸収するように黒色の放射率の高い部材を使用する。これにより、収納部４１２において効果的に放熱するとともに、表示画像のコントラストを上げて画像品質を向上させている。
【０１０６】  第３の収納部４１３（以下、収納部４１３と略記する）は、収納部４１１、４１２より下側にあって収納筺体４０２ｂの最下部に配設され、本装置４００における駆動部としての機能を備えている。収納部４１３には、圧縮器、凝縮器および蒸発器を備えた第１の冷却装置としての空調機４２２および熱伝導による熱交換機能を備えた第２の冷却装置としての熱交換器４２３、その他電源ユニットおよび制御装置（いずれも図示せず）などが配設されている。熱交換器４２３としては、プレートフィン、ヒートパイプ、ラジエータなどを使用することができる。これにより、空調機４２２と熱交換器４２３を併用してプロジェクター４０３を効率よく冷却することができ、安定した高品質の熱交換を効率よく行うことができる。
【０１０７】  つぎに、本装置４００の特徴である画像表示器としてのプロジェクター４０３の冷却に係わる構成および機能について、図１９により説明する。
【０１０８】  本装置４００は、すでに述べたように、所定の投射距離において所定の寸法および所定の輝度で画像を前面投射可能な画像表示器としてのプロジェクター４０３、およびプロジェクター４０３が投射した画像を表示する透過型のスクリーン４０６とを筺体２に収納し、プロジェクター４０３の投射経路上に配設されたスクリーン４０６に画像を背面投射する画像表示装置である。筺体４０２は外装ケース４０２ａおよび収納筺体４０２ｂを備え、プロジェクター４０３を配設した収納部４１１と、スクリーン４０６を配設した収納部４１２と、筺体４０２の内部の冷却を行う冷却部を配設した収納部４１３を備え、収納部４１１、４１２、４１３を壁面状部材４０７、４０８により区画することを特徴とする。
【０１０９】  プロジェクター４０３と冷却部の収納場所を確実に分離することにより、効率的な冷却経路を構成し、冷却効率を高めるとともに、振動や防塵など冷却部その他の機器や部品等の配設に伴う構造的な悪影響を抑制することができる。これにより、屋外設置用の画像表示装置に関し、特に冷却機能の向上と、冷却部に係わる負荷の軽減および効率化を実現し、多様な屋外環境に設置可能な高精細度で高輝度、かつ、高品質の温度調節機能を備えた画像表示装置を実現することができる。
【０１１０】  また、本装置４００では、少なくとも収納部４１１、４１２に断熱部材を配設する。これにより、本装置４００の内部を区画して断熱を行い、プロジェクター４０３およびスクリーン４０６を個別に冷却することが可能となる。したがって、プロジェクター４０３やスクリーン４０６等の搭載機器や部品に関するそれぞれの冷却条件に対して適切に温度制御を行うことができる。
【０１１１】  つぎに、本装置４００における冷却部に係わる構成上の特徴について説明する。
【０１１２】  図１９に示すように、プロジェクター４０３の冷却を行う空気の循環流路Ａを備えることにある。図１９において、プロジェクター４０３から排気される空気の冷却経路を、矢印により示す。
【０１１３】  循環流路Ａは、収納部４１１、空調機４２２および熱交換器４２３が管状部材または通風ダクト（図１９に記載の「閉じた流路」）などにより接続された流路ａ１〜ａ１３の閉ループ状の流路により構成されている。空気の循環の順序としては、プロジェクター４０３の排気口４０３ｃから送風機（ファン）４０３ｄにより排出された空気を収納部４１１から外部に導出し、熱交換器４２３により冷却した後、空調機４２２よりさらに冷却し、その後、収納部４１１に至り、プロジェクター４０３の吸気口４０３ｂからプロジェクター４０３に対して冷却された空気を供給する。
【０１１４】  循環流路Ａに係わる収納部４１１の構成については、収納部４１１は、空気の流路としての吸気口４１１ａおよび排気口４１１ｂを備え、吸気口４１１ａおよび排気口４１１ｂを収納部４１１の外部に配設した流路（流路ａ３〜ａ９）とそれぞれ隙間なく接続し、循環流路Ａを構成する。さらに、熱交換器４２３からの流路（管状部材）ａ５および空調機２２からの流路（管状部材）ａ８には送風機４２３ｄ、４２２ｄを配設してもよい。送風機４２３ｄ、４２２ｄを配設することにより、内部循環している流路ａ１〜ａ１３の対流の圧力損失の低下を抑えて風量を確保することができる。
【０１１５】  この構成により、吸気口４１１ａから冷却空気を供給し、プロジェクター４０３から吐出される加熱された空気を排気口４１１ｂから外部に排気することが可能となる。したがって、プロジェクター４０３を効率よく確実に冷却することができる。
【０１１６】  空調機４２２および熱交換器４２３については、筺体４０２の最下部において収納部４１３に配設されており、プロジェクター４０３が配設された収納部４１１と壁面状部材４０７と壁面状部材４０８により熱的に遮蔽され気密上でも明確に区画されている。空調機４２２における冷却に係わる吸排気は流路Ｂ（流路ｂ１〜ｂ４）により行われ、吸気口４２２ａから外部の空気を導入し、排気口４２２ｂから送風機（ファン）４２２ｃを動作させて筺体４０２の外部に排気を行う。送風機４２２ｃは、排気口４２２ｂの近傍に配設される。同様に、熱交換器４２３の排気口４２３ｂの近傍に送風機４２３ｃが配設され、熱交換器４２３における冷却に係わる吸排気は流路Ｃ（流路ｃ１〜ｃ３）により行われ、吸気口４２３ａから外部の空気を導入し、排気口４２３ｂから送風機（ファン）４２３ｃを動作させて筺体４０２の外部に排気を行う。したがって、２つの冷却装置の排気は、筺体４０２の最下部に配設された収納部４１３において行われ、直射日光等による吸排気時における温度上昇などの影響を抑制することができる。
【０１１７】  なお、収納部４１３には空調機４２２および熱交換器４２３（以下、冷却装置４２２、４２３と略記する）とは別に流路Ｄ（流路ｄ１〜ｄ３）を備えており、吸気口Ｄａから外部の空気を導入し、排気口Ｄｂから送風機Ｄｃにより外部に排気を行う。これにより、収納部４１３の内部の温度上昇を抑制することができる。また、収納部４１１には、内部の空気を撹拌するための送風機（ファン）４１１ｃを備えており、内部で水滴が発生した場合に、蒸発を促進する機能を発揮することができる。
【０１１８】  以上の通り、空気の循環流路Ａを使用してプロジェクター４０３から吐出される排気を２つの冷却装置４２２、４２３を使用して２段階の冷却を行うことが可能となり、不安定な外気を冷却に使用することもない。したがって、冷却条件が安定するとともに、冷却空気への塵などの異物の混入に伴うプロジェクター４０３への異物付着等の悪影響を抑制することができる。これにより、プロジェクター４０３の冷却に関し、安定性が高く、高品質の冷却を実現することができる。
【０１１９】  なお、循環流路Ａに管状部材または通風ダクトを使用することにより、循環流路Ａを安価な部材で密閉性よく構成することができる。
【０１２０】  また、本装置４００では、加熱部４２１をさらに備えており、本装置４００の内部の温度を上昇させることが可能となり、本装置４００を低温環境下でも使用することができ、使用温度範囲を拡大することができる。
【０１２１】  また、本装置４００の筺体４０２には、床部に移動用の車輪（図示せず）が設けられており、本装置は可搬性を備えている。したがって、本装置４００の向きを変えることや移動することが容易であり、本装置４００の設置およびメンテナンス等において、利便性が向上する。
【０１２２】  つぎに、本装置４００における温度制御の方法について、説明する。
【０１２３】  本装置４００は、空調機４２２の吸気口４２２ａの近傍に温度センサー４３１を配設し、プロジェクター４０３の外装カバー４０３ａに配設された吸気口４０３ｂの近傍に温度センサー４３２を配設している。これにより、空調機４２２の吸気口４２２ａの近傍で本装置４００の周囲の外気の温度を検出し、プロジェクター４０３の吸気口４０３ｂの近傍でプロジェクター４０３の冷却に使用する空気の温度を検出することが可能となる。したがって、冷却に使用する外気の温度およびプロジェクター４０３の冷却に使用する空気の温度を正確に検出して吸気を行うことができ、冷却に係わる温度制御の精度を高めることができる。
【０１２４】  収納部４１１に配置されたプロジェクター４０３の冷却に関する温度制御の方法としては、温度センサー４３１により検出される外気温度および温度センサー４３２により検出される収納部４１１の内部の温度をそれぞれ複数の温度範囲に区画して複数の温度制御モードを設定し、プロジェクター４０３、空調機４２２、熱交換器４２３、加熱器４２１および複数配設された送風機４２２ｃ、４２３ｃ、Ｄｃ、４１１ｃに関し、温度制御モード別にＯＮ／ＯＦＦおよび出力の切り替えの少なくともいずれかについて機能設定を行い、筺体内部の温度および温度制御サイクルの周期を一定範囲内に維持する。この方法による筺体４０２の内部の温度制御に関する制御モードの設定事例を図２２（関連図面：図２１）に示す。
【０１２５】  このような構成により、外気温度および収納部４１１の内部の温度を考慮した複数の温度制御モードを設定し、各温度制御モード別にプロジェクター４０３、空調機４２２、熱交換器４２３、加熱器４２１および送風機４２２ｃ、４２３ｃ、Ｄｃ、４１１ｃに関し、ＯＮ／ＯＦＦおよび出力の切り替えの少なくともいずれかについて機能設定を行い、筺体４０２の内部、特に収納部４１１の内部の温度制御に関し、制御温度の範囲および温度制御サイクルの周期を一定範囲内に維持することが可能となる。
【０１２６】  したがって、外気温度および筺体４０２の内部の温度の状況に応じて各制御モードにおける画像表示器、加熱部および送風機の動作および機能を適確に設定することにより、画像表示器の冷却に係わる温度制御サイクルの周期を適切に設定することができる。これにより、温度制御に係わるプロジェクター３、空調機４２２、熱交換器４２３、加熱器４２１および送風機４２２ｃ、４２３ｃ、Ｄｃ、４１１ｃに関し、ＯＮ／ＯＦＦや機能の切り替えの頻度を抑制することができ、本装置４００に搭載される各種機器に関し故障が発生しにくい、長寿命の画像表示装置を実現することができる。
【０１２７】  つぎに、本装置の構成に関する応用事例について、図２０により説明する。
【０１２８】  図２０は、プロジェクター４０３の冷却に関する応用事例の基本的な構成を示す主要配置図である。以下において特に記述のない事項については、すでに述べた図１９に示す事例と同様であり、説明用の記号を一部省略する。
【０１２９】  図２０に示す事例は、図１９に対して収納部４１３を壁面状部材４０９により、第４の収納部である収納部４１６および第５の収納部である収納部４１７の２つに区画している。収納部４１６および収納部４１７には内部の空気を筺体４０２の外部と吸排気するために、吸気口、排気口および送風機により流路Ｅおよび流路Ｆが形成されている。また、収納部４１６には熱交換器４２３の吸熱部４２３１および空調機４２２の吸熱部４２２１が配設され、収納部４１７には熱交換器４２３の放熱部４２３２および空調機４２２の放熱部４２２２が配設されている。ここで、空調機４２２の吸熱部４２２１は前述の蒸発器に相当し、放熱部４２２２は圧縮器および凝縮器に相当する。このような構成により、冷却装置４２２、４２３の吸熱と放熱に係わる部分を壁面状部材４０９で分離することができ、より効率的な冷却が可能となる。
【０１３０】  また、熱交換器４２３の吸気口４２３ａおよび排気口４２３ｂ、空調機４２２の冷却に係わる吸気口４２２ａおよび排気口４２２ｂを収納部４１７に配設する。このような構成により、冷却装置４２２、４２３に係わる吸気口および排気口を筺体の最下部に区画された収納部４１７に集中して配設することが可能となる。したがって、冷却装置は、筺体４０２の最下部に区画された収納部４１７においてプロジェクター４０３と離れた位置で吸排気を行うことができ、筺体４０２の外部の温度環境が冷却装置の吸排気口を経由してプロジェクター４０３に影響を与えるのを防止することができる。また、筺体４０２の最下部は直射日光が当たる可能性が低く、筺体４０２の外部の温度上昇が冷却装置の吸排気に与える影響を最小限に抑制することができる。これにより、プロジェクター４０３の温度上昇を抑制するとともに、冷却装置の効率を高め、負荷を軽減することができる。
【０１３１】  なお、収納部４１６と収納部４１７との区画は、設計条件等により、区画部材の構造を変えることにより、機密性および熱の遮蔽に関し簡略化することができる。これにより、収納部４１３および収納部４１６を組み合わせて使用する場合や、２つの収納部に跨って機器や部材などを配設する場合などにおいて、使用に係わる自由度を高めることができ、設計の自由度の高い、実用性に優れた画像表示装置の筺体を実現することができる。
【０１３２】  また、この事例ではプロジェクター４０３の排気口４０３ｃと熱交換器４２３の吸気口（入力口：図示せず）が管状部材ａ１、ａ２、ａ３により接続され、プロジェクター４０３からの排気が専用流路を経由して熱交換器４２３に送られる。同様に、プロジェクター４０３の吸気口４０３ｂと空調機４２２の出力口（図示せず）も管状部材ａ８〜ａ１３により専用流路を経由して接続される。この構成により、プロジェクター４０３の吸排気が管状部材により専用流路を経由して行われ、冷却の効率を高めることができる。ここで、断熱された収納部４１１内を通過する上記管状部材ａ１、ａ２、ａ１０〜ａ１３は断熱されていることが好ましい。また、収納部４１６内を通過する管状部材のうちで、管状部材ａ３、ａ５、ａ６はプロジェクター４０３からの排気の温度を下げるために放熱されていることが好ましく、逆に管状部材ａ８、ａ９は空調機４２２で冷却された空気の温度を保つために断熱されていることが好ましい。さらに、この応用事例においても熱交換器４２３からの流路（管状部材）ａ５および空調機４２２からの流路（管状部材）ａ８には送風機を配設してもよい。なお、図２０ではプロジェクター４０３の排気口４０３ｃと熱交換器４２３の吸気口の間、およびプロジェクター４０３の吸気口４０３ｂと空調機４２２の出力口の間をともに管状部材で接続している例を示したが、どちらか一方の経路のみを管状部材で接続してもよい。
【０１３３】  また、収納部４１１には送風機４１１ｃが配設され、内部の空気を撹拌することができる。したがって、気候等の周囲条件や画像表示装置内の冷却その他の熱環境に起因する水滴が発生した場合でも、送風機により水滴の気化を促進して気化熱を冷却に再利用することができ、水滴が本装置４００の機能に影響を与えることのない、安定した冷却品質を維持することができる。
【０１３４】  以上の応用事例に示すように、プロジェクター４０３は、空気の流路としての吸気口４０３ｂおよび排気口４０３ｃが配設された外装カバー４０３ａを備え、吸気口４０３ｂおよび排気口４０３ｃの少なくとも一方を収納部４１１の吸気口４１１ａおよび排気口４１１ｂの少なくとも一方と流路（流路ａ３および流路ａ９の少なくとも一方）により接続する。このような構成により、プロジェクター４０３により加熱された空気を収納部内で拡散することなく、排気口から専用の管状流路を経由して収納部４１６または収納部４１７の外部に排気することができる。したがって、プロジェクター４０３の排気を効率よく確実に行うことができる。また、本装置４００は、外装ケース４０２ａに配設された吸気口と排気口を利用して冷却を行うことにより、冷却を効率よく、確実に行うことができる。
【０１３５】  なお、筺体４０２は密閉構造ではないが、吸排気口にフィルター（図示せず）が設けることにより、埃などの侵入を防ぐことができる。
【０１３６】  本発明の実施の形態を画像表示装置に適用した場合の具体的な構成の事例を、図２１に示す。
【０１３７】  図２１において、本装置４００は、内部において３つの収納部４１１、４１２４１３が壁面状部材４０７、４０８によって区画され、収納部４１１にはプロジェクター４０３が、収納部４１２にはミラー４０５およびスクリーン４０６が、収納部４１３には冷却装置４２２、４２３がそれぞれ配設されている。また、筺体最下部の収納部４１３には、冷却装置４２２、４２３の吸排気部が配設され、ファンＡ〜Ｆにより、内部の空気が撹拌され、または外部に排気される。
【０１３８】  さらに、管状部材または通風ダクトなどによる閉じた流路４１０１、４１０２、４１０３その他の流路が配設され、プロジェクター４０３を冷却するための循環流路が形成されている。
【０１３９】  以上の通り、本発明による画像表示装置を使用することにより、プロジェクターを使用した投射型の画像表示装置において、プロジェクターやスクリーン等の搭載機器や部品に関するそれぞれの冷却条件に対して適切に冷却を行うことができ、多様な屋外環境に設置可能な高精細度で高輝度の画像表示装置を実現することができる。特に、耐候性に優れ、厳しい外気温下でも動作させることができるため、屋外広告等の情報提供サービスに使用可能な利便性の高い画像表示装置を実現することができる。
【０１４０】  なお、本装置４００の用途に関する応用事例として、図１９における収納部４１１を収納部４１２と分離して、収納部４１３とともに窓が設けられた筺体に収納する構成とすることにより、フロント方式で投射する画像表示装置を実現することができる。
【産業上の利用可能性】
【０１４１】  本発明による画像表示装置によれば、高輝度で耐候性に優れた画像表示装置を提供することができる。したがって、屋外で使用する画像表示装置として有用である。
【符号の説明】
【０１４２】  １，１００，２００，３００，４００    画像表示装置  ２，１０２，２０１，３０１，４０２，９０２，１００２    筺体  ２ａ    扉部  ２ｂ，１７６    通気口  ２ｃ    車輪  ４０２ａ    外装ケース  ４０２ｂ    収納筺体  ３，１０３，４０３    プロジェクター（画像表示器）  ３ａ，１０３ａ，４０３ａ    カバー（外装筺体）  ４，２０２，３０２，４０４    窓  ５，４０５    ミラー  ６，４０６    スクリーン    ６１    フレネルレンズ    ６２    拡散板    ６３    前面保護パネル    ６４    空気流通層    ６５    帯電防止膜    ６６    クロスファン  ７    収納部  ８，１０８    駆動部  １１，１１１，３１１    第１の断熱部  １１ａ，４１４    第１の断熱部材  １２    第２の断熱部  １２ａ，４１５    第２の断熱部材  １３，１４    結露センサー  ２１    加熱器  ２２    熱交換器  ２３，１２３    圧縮器  ２４，１２４    凝縮器  ２５，１２５    蒸発器  ２６    ファン  ３１，３２，１７１，１７２    循環経路（冷却経路）  １５１，１７３，９５１，１０５１    吸気口  １５２，１７４    排気口  １５３    蒸発皿  １６１，１６２    ソーラーパネル  １６３    バッテリー  １６４    位置情報発信部（ＧＰＳ発信部）  １７５    排気経路  ４０７，４０８，４０９    壁面状部材（区画部材）  ４１１    第１の収納部  ４１２    第２の収納部  ４１３    第３の収納部  ４１６    第４の収納部  ４１７    第５の収納部  ４２１    加熱器  ４２２    第１の冷却部（空調機）  ４２３    第２の冷却部（熱交換器）  ４０３ｂ，４１１ａ，４２２ａ，４２３ａ，Ｄａ    吸気口  ４０３ｃ，４１１ｂ，４２２ｂ，４２３，Ｄｂ    排気口  ４０３ｄ，４１１ｃ，４２２ｃ，４２３ｃ，Ｄｃ    送風機  ４３１，４３２    温度センサー  ４１０１，４１０２，４１０３，Ａ，Ｂ，Ｃ，Ｄ，ａ１〜ａ１３，ｂ１〜ｂ４，ｃ１〜ｃ３，ｄ１〜ｄ３    流路  ４２２１，４２３１    吸熱部  ４２２２，４２３２    放熱部  ８８１，８８２，８８３，９８１，１０８１    フィルター  ９８２，１０８２    清浄機  １０８３，１０８４    シャッター  １２０１，１２０４    リレースイッチ  １２０２    プロジェクター駆動回路部  １２０３    加熱器駆動回路部  １２０５    圧縮器駆動回路部  １３０１    吊下げ構造体  １３０１ａ，１３０１ｂ，１３０１ｃ，１３０１ｄ    吊下げアングル  １３０２ａ    振動吸収部材（緩衝部材）  １３０３，１３０４    温度センサー
【図１Ａ】
2009150850.tif 000003
【図１Ｂ】
2009150850.tif 000004
【図２】
2009150850.tif 000005
【図３】
2009150850.tif 000006
【図４Ａ】
2009150850.tif 000007
【図４Ｂ】
2009150850.tif 000008
【図５】
2009150850.tif 000009
【図６Ａ】
2009150850.tif 000010
【図６Ｂ】
2009150850.tif 000011
【図７】
2009150850.tif 000012
【図８】
2009150850.tif 000013
【図９】
2009150850.tif 000014
【図１０】
2009150850.tif 000015
【図１１】
2009150850.tif 000016
【図１２】
2009150850.tif 000017
【図１３Ａ】
2009150850.tif 000018
【図１３Ｂ】
2009150850.tif 000019
【図１４】
2009150850.tif 000020
【図１５Ａ】
2009150850.tif 000021
【図１５Ｂ】
2009150850.tif 000022
【図１６Ａ】
2009150850.tif 000023
【図１６Ｂ】
2009150850.tif 000024
【図１７Ａ】
2009150850.tif 000025
【図１７Ｂ】
2009150850.tif 000026
【図１８Ａ】
2009150850.tif 000027
【図１８Ｂ】
2009150850.tif 000028
【図１９】
2009150850.tif 000029
【図２０】
2009150850.tif 000030
【図２１Ａ】
2009150850.tif 000031
【図２１Ｂ】
2009150850.tif 000032
【図２２Ａ】
2009150850.tif 000033
【図２２Ｂ】
2009150850.tif 000034
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
所定の投射距離において所定の寸法および所定の輝度で画像を前面投射可能な画像表示器と、前記画像表示器が投射した画像を表示する透過型のスクリーンとを筺体に収納し、前記画像表示器の投射経路上に配設された前記スクリーンに画像を背面投射する画像表示装置であって、前記筺体は、断熱部と、前記筺体の内部の冷却を行う冷却部とを備え、前記断熱部は、前記画像表示器の周辺部に配設して断熱を行う第１の断熱部と、前記スクリーンの周辺部に配設して断熱を行う第２の断熱部とを有し、前記第１の断熱部および前記第２の断熱部の配設場所を、壁面状部材により区画することを特徴とする画像表示装置。
【請求項２】
（削除）
【請求項３】
前記筺体は吸気口と排気口とを備え、前記吸気口は防塵フィルタを備えることを特徴とする請求項１に記載の画像表示装置。
【請求項４】
前記筺体は吸気口と排気口とを備え、前記画像表示装置の電源の切断と連動して前記吸気口と排気口とを閉じることを特徴とする請求項１に記載の画像表示装置。
【請求項５】
前記筺体の内部に温度センサーを備え、前記温度センサーが検出した温度が所定の温度以上の場合、前記冷却部が作動し、所定の温度以下になったとき、前記画像表示器の電源が入ることを特徴とする請求項１に記載の画像表示装置。
【請求項６】
前記筺体の内部に温度センサーおよび加熱部を備え、前記温度センサーが検出した温度が所定の温度以下の場合、前記加熱部が作動し、所定の温度以上になったとき、前記画像表示器の電源が入ることを特徴とする請求項１に記載の画像表示装置。
【請求項７】
前記画像表示器はさらにカバーを備え、前記カバーの内部に第２の温度センサーを配設し、前記第２の温度センサーが検出した温度が所定の温度以上の場合、前記画像表示器の光源のパワーを制御することを特徴とする請求項１に記載の画像表示装置。
【請求項８】
前記画像表示器はさらにカバーを備え、前記カバーの内部に第２の温度センサーを配設し、前記第２の温度センサーが検出した温度が所定の温度以上の場合、前記画像表示器の点灯光源数を制御することを特徴とする請求項１に記載の画像表示装置。
【請求項９】
前記冷却部は、圧縮器と凝縮器および蒸発器とを備えた第１の冷却部と、熱伝導による熱交換器を備えた第２の冷却部とを備えることを特徴とする請求項１に記載の画像表示装置。
【請求項１０】
前記第２の冷却部はヒートシンク、ヒートパイプ、空気式熱交換器のいずれかを備えることを特徴とする請求項９に記載の画像表示装置。
【請求項１１】
前記圧縮器の稼働率を検出する手段を備え、前記圧縮器の稼働率に応じて前記画像表示装置の駆動制御を行うことを特徴とする請求項９に記載の画像表示装置。
【請求項１２】
前記筺体の内部に結露センサーを備え、前記結露センサーが結露を検出したとき、前記画像表示器の電源を切断することを特徴とする請求項１に記載の画像表示装置。
【請求項１３】
前記筺体の内部に結露センサーおよび加熱部を備え、前記結露センサーが結露を検出している間は、前記加熱部が作動し、非結露となったとき前記画像表示器の電源を入れることを特徴とする請求項１に記載の画像表示装置。
【請求項１４】
さらに自己発電部を備えることを特徴とする請求項１に記載の画像表示装置。
【請求項１５】
前記自己発電部は太陽光により発電を行うことを特徴とする請求項１４に記載の画像表示装置。
【請求項１６】
さらに第２の断熱部内に第３の冷却部を備え、前記自己発電部で発電される電力により前記第３の冷却部を駆動することを特徴とする請求項１５に記載の画像表示装置。
【請求項１７】
前記第３の冷却部は前記透過型のスクリーンを冷却することを特徴とする請求項１６に記載の画像表示装置。
【請求項１８】
前記筺体は、前記画像表示器を配設した第１の収納部と、前記スクリーンを配設した第２の収納部と、前記筺体の内部の冷却を行う冷却部を配設した第３の収納部とを備え、前記第１の収納部、第２の収納部および第３の収納部を壁面状部材により区画することを特徴とする請求項１に記載の画像表示装置
【請求項１９】
前記第３の収納部をさらに第４の収納部および第５の収納部に区画し、前記冷却部に係わる吸熱部を前記第４の収納部に配設し、前記冷却部に係わる放熱部を前記第５の収納部に配設することを特徴とする請求項１８に記載の画像表示装置
【請求項２０】
前記第５の収納部を筺体の最下部に配設し、前記冷却部に係わる吸気口および排気口を前記第５の収納部に配設することを特徴とする請求項１９に記載の画像表示装置。
【請求項２１】
前記冷却部に係わる放熱部の吸気口の近傍に温度検出器を配設し、前記放熱部の排気口の近傍に送風機を配設することを特徴とする請求項２０に記載の画像表示装置。
【請求項２２】
少なくとも第１の収納部および第２の収納部に断熱部を配設することを特徴とする請求項１８から請求項２１のいずれか１項に記載の画像表示装置。
【請求項２３】
前記冷却部は、前記画像表示器の冷却を行う空気の循環流路を備えることを特徴とする請求項１８から請求項２１のいずれか１項に記載の画像表示装置。
【請求項２４】
前記循環流路は、前記第１の収納部および前記冷却部を管状部材または通風ダクトにより接続し流路を形成することを特徴とする請求項２３に記載の画像表示装置。
【請求項２５】
前記第１の収納部は、空気の流路としての吸気口および排気口を備え、前記吸気口および排気口を前記第１の収納部の外部に配設した流路とそれぞれ接続し、前記循環流路を構成することを特徴とする請求項２３または請求項２４に記載の画像表示装置。
【請求項２６】
前記画像表示器は、空気の流路としての吸気口および排気口が配設された外装筺体を備え、前記外装筺体の吸気口および排気口の少なくとも一方を前記第１の収納部の吸気口および排気口の少なくとも一方と流路を形成する部材により接続することを特徴とする請求項２４に記載の画像表示装置。
【請求項２７】
前記外装筺体に配設された吸気口の近傍に温度検出器を配設することを特徴とする請求項２６に記載の画像表示装置。
【請求項２８】
前記冷却部は、圧縮器と凝縮器および蒸発器とを備えた第１の冷却装置と、熱伝導による熱交換器を備えた第２の冷却装置とを備えることを特徴とする請求項２１から請求項２７のいずれか１項に記載の画像表示装置。
【請求項２９】
前記第２の冷却装置はプレートフィン、ヒートパイプ、ラジエータのいずれかを備えることを特徴とする請求項２８に記載の画像表示装置。
【請求項３０】
循環流路は、前記画像表示器から排出された空気を前記第２の冷却装置により冷却した後、前記第１の冷却装置により冷却する流路であることを特徴とする請求項２８または請求項２９に記載の画像表示装置。
【請求項３１】
加熱部をさらに備えることを特徴とする請求項１８から請求項３０のいずれか１項に記載の画像表示装置。
【請求項３２】
前記第１の収納部から第５の収納部の少なくともいずれかに、当該収納部内の空気を撹拌する送風機をさらに備えることを特徴とする請求項１８から請求項３１のいずれか１項に記載の画像表示装置。
【請求項３３】
前記温度検出器により検出される前記筺体外部の温度および前記筺体内部の温度をそれぞれ複数の温度範囲に区画して複数の温度制御モードを設定し、前記画像表示器、冷却部、加熱部および送風機に関し、前記温度制御モード別にオン／オフおよび出力の切り替えの少なくともいずれかについて機能設定を行い、前記筺体内部の温度および温度制御サイクルの周期を一定範囲内に維持することを特徴とする請求項１８から請求項３２のいずれか１項に記載の画像表示装置。
【国際調査報告】
2009150850.tif 000035
2009150850.tif 000036
2009150850.tif 000037
2009150850.tif 000038
2009150850.tif 000039
2009150850.tif 000040
2009150850.tif 000041